(57)【要約】【課題】ねじを紛失することがなく、ねじとねじの挿通孔との対応関係が分かり易く、被取付部材を取付部に固定する作業を効率的に行うことができるねじの仮保持機構を提供すること。【解決手段】被取付部材である鍔付きスリーブ１に形成したねじの挿通孔２の近傍に、ねじの挿通孔２の軸に対して平行にねじＳを仮保持するねじの仮保持部３を、鍔付きスリーブ１に対して一体に形成する。【選択図】図１
2020034099.tif 000002
【特許請求の範囲】
【請求項１】
被取付部材を取付部に固定するために用いられるねじを、被取付部材に仮保持するために用いられるねじの仮保持機構において、前記被取付部材に形成したねじの挿通孔の近傍に、ねじの挿通孔の軸に対して平行にねじを仮保持するねじの仮保持部を、被取付部材に対して一体に形成してなることを特徴とするねじの仮保持機構。
【請求項２】
前記ねじの仮保持部を、断面Ｃ型形状に形成してなることを特徴とする請求項１に記載ねじの仮保持機構。
【請求項３】
前記ねじの仮保持部の被取付部材の本体部からの突出寸法が、ねじの挿通孔を形成した、被取付部材の本体部から突出して形成した鍔部の被取付部材の本体部からの突出寸法より小さいことを特徴とする請求項１又は２に記載ねじの仮保持機構。
【発明の詳細な説明】
【技術分野】
【０００１】
本発明は、ねじの仮保持機構に関し、特に、各種の被取付部材を取付部に固定するために用いられるねじを当該被取付部材に仮保持するためのねじの仮保持機構に関するものである。
【背景技術】
【０００２】
従来、ねじの仮保持機構として、ねじの挿通孔と同心にねじの仮保持部を設けるようにしたものが提案されている（例えば、特許文献１〜２参照。）。
【０００３】
ところで、上記従来のねじの仮保持機構は、ねじの挿通孔と同心にねじの仮保持部を設けるようにしているため、長さの長いねじの場合、ねじやねじの仮保持部の突出寸法が大きくなるため、対応できないという問題があった。
【０００４】
このため、このような長さの長いねじ等の場合、例えば、各種の被取付部材を取付部に固定するために用いられるねじの場合、直接又は小袋に入れて被取付部材にテープ止めすることによって装着して出荷するようにしていた。
【０００５】
しかしながら、被取付部材にテープ止めしたねじは、離脱、紛失しやすく、また、特に、複数のねじを用いて被取付部材を取付部に固定する場合、ねじとねじの挿通孔との対応関係が分かり難く、被取付部材を取付部に固定する作業を効率的に行うことができないという問題があった。
【先行技術文献】
【特許文献】
【０００６】
【特許文献１】特開２００７−７１３２１号公報
【特許文献２】特開平７−２２０８０号公報
【発明の概要】
【発明が解決しようとする課題】
【０００７】
本発明は、上記従来のねじの仮保持機構の有する問題点に鑑み、ねじを紛失することがなく、ねじとねじの挿通孔との対応関係が分かり易く、被取付部材を取付部に固定する作業を効率的に行うことができるねじの仮保持機構を提供することを目的とする。
【課題を解決するための手段】
【０００８】
上記目的を達成するため、本発明のねじの仮保持機構は、被取付部材を取付部に固定するために用いられるねじを、被取付部材に仮保持するために用いられるねじの仮保持機構において、前記被取付部材に形成したねじの挿通孔の近傍に、ねじの挿通孔の軸に対して平行にねじを仮保持するねじの仮保持部を、被取付部材に対して一体に形成してなることを特徴とする。
ここで、「ねじ」には、タッピンねじ、木ねじ等の各種ねじのほか、ボルトや釘等の固定具を包含するものとする。
【０００９】
この場合において、前記ねじの仮保持部を、断面Ｃ型形状に形成してなるようにすることができる。
【００１０】
また、前記ねじの仮保持部の被取付部材の本体部からの突出寸法が、ねじの挿通孔を形成した、被取付部材の本体部から突出して形成した鍔部の被取付部材の本体部からの突出寸法より小さくすることができる。
【発明の効果】
【００１１】
本発明のねじの仮保持機構によれば、被取付部材に形成したねじの挿通孔の近傍に、ねじの挿通孔の軸に対して平行にねじを仮保持するねじの仮保持部を、被取付部材に対して一体に形成してなるようにすることにより、被取付部材を取付部に固定するために用いられるねじを、紛失することなく被取付部材に仮保持することができ、また、ねじとねじの挿通孔との対応関係が分かり易く、被取付部材を取付部に固定する作業を効率的に行うことができる。
【００１２】
また、ねじの仮保持部を、断面Ｃ型形状に形成してなるようにすることにより、ねじの仮保持部に対するねじの着脱を簡易に行うことができる。
【００１３】
また、ねじの仮保持部の被取付部材の本体部からの突出寸法が、ねじの挿通孔を形成した、被取付部材の本体部から突出して形成した鍔部の被取付部材の本体部からの突出寸法より小さくすることにより、ねじの仮保持部に装着したねじが出っ張らず、梱包作業を容易に行うことができる。
【図面の簡単な説明】
【００１４】
【図１】本発明のねじの仮保持機構を適用した鍔付きスリーブの一実施例を示し、（ａ）は正面図、（ｂ）は（ａ）のＢ−Ｂ拡大断面図である。
【図２】同鍔付きスリーブを示す、図１（ａ）のＡ−Ａ断面図である。
【図３】同鍔付きスリーブの適用例を示す断面図である。
【発明を実施するための形態】
【００１５】
以下、本発明のねじの仮保持機構の実施の形態を、図面に基づいて説明する。
【００１６】
図１〜図３に、本発明のねじの仮保持機構を適用した鍔付きスリーブ（被取付部材）の一実施例を示す。
この鍔付きスリーブ１は、給気扇や排気扇を取り付けるために、ねじＳ（本明細書において、タッピンねじ、木ねじ等の各種ねじのほか、ボルトや釘等の固定具を包含するものとする。）によって取付部としての建物の壁Ｗに固定されるもので、この鍔付きスリーブ１は、建物の壁Ｗに固定するために用いられるねじＳを、鍔付きスリーブ１に仮保持するために用いられるねじの仮保持機構として、鍔付きスリーブ１に形成したねじの挿通孔２の近傍に、ねじの挿通孔２の軸に対して平行にねじＳを仮保持するねじの仮保持部３を、鍔付きスリーブ１に対して一体に形成するようにしている。
【００１７】
鍔付きスリーブ１は、合成樹脂製のもので、成形時に、ねじの仮保持部３を一体成形するようにしている。
【００１８】
ねじの仮保持部３は、断面Ｃ型形状に形成するようにしている。
この場合、内面に縦方向の溝３１を形成することにより、バネ性を備えるようにしている。
これにより、断面Ｃ型形状に形成したねじの仮保持部３の開口部からねじＳを押し込んだり、引き抜くことができ、ねじの仮保持部３に対するねじＳの着脱を簡易に行うことができる。
【００１９】
また、ねじの仮保持部３は、鍔付きスリーブ１の本体部１１から突出して形成した鍔部１２（この鍔部１２にねじの挿通孔２を形成するようにしている。）の基端部に連ねて形成することで、鍔付きスリーブ１の本体部１１からの突出寸法が、鍔部１２の鍔付きスリーブ１の本体部１１からの突出寸法より小さくなるようにしている。
これにより、ねじの仮保持部３に装着したねじＳが出っ張らず、梱包作業を容易に行うことができる。
【００２０】
このねじの仮保持機構によれば、鍔付きスリーブ１に形成したねじの挿通孔２の近傍に、ねじの挿通孔２の軸に対して平行にねじＳを仮保持するねじの仮保持部３を、鍔付きスリーブ１に対して一体に形成してなるようにすることにより、鍔付きスリーブ１を壁Ｗに固定するために用いられるねじＳを、紛失することなく鍔付きスリーブ１に仮保持することができ、また、ねじＳとねじの挿通孔２との対応関係が分かり易く、鍔付きスリーブ１を壁Ｗに固定する作業を効率的に行うことができる。
【００２１】
以上、本発明のねじの仮保持機構について、その実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明のねじの仮保持機構は、ねじを紛失することがなく、ねじとねじの挿通孔との対応関係が分かり易く、被取付部材を取付部に固定する作業を効率的に行うことができるという特性を有していることから、実施形態において実施例として記載した鍔付きスリーブの用途に好適に用いることができるほか、各種の被取付部材を取付部に固定するために用いられるねじを当該被取付部材に仮保持するためのねじの仮保持機構の用途に広く用いることができる。
【符号の説明】
【００２３】
１  鍔付きスリーブ（被取付部材）
１１  本体部
１２  鍔部
２  ねじの挿通孔
３  ねじの仮保持部
３１  溝
Ｓ  ねじ
Ｗ  壁
【図１】
2020034099.tif 000003
【図２】
2020034099.tif 000004
【図３】
2020034099.tif 000005